(57)【要約】      （修正有）【課題】印画物を効率的に製造できる熱転写シートと中間転写媒体の組合せを提供する。【解決手段】熱転写シート１００は、熱転写シート基体部１０５と、熱転写シート基体部の一方の面上に設けられた機能層１１０を有し、また、機能層１１０の熱転写シート基体部１０５側の面は、接着性を有し、中間転写媒体は、中間転写媒体基体部と、中間転写媒体上に設けられた転写層を有し、また、転写層は、受容層のみからなる単層構造、又は積層構造を呈しており、熱転写シート１００と中間転写媒体を、機能層１１０と転写層とが接するように重ね合せ、熱転写シート基体部の他方の面側からエネルギーを印加したときに、エネルギーが１のエネルギーの場合、機能層によって中間転写媒体基体部から転写層を除去でき、エネルギーが他の１のエネルギーの場合、中間転写媒体の転写層上に機能層を転写できる。【選択図】図１
2020116921.tif 000002
【特許請求の範囲】
【請求項１】
熱転写シートと中間転写媒体の組合せであって、
前記熱転写シートは、熱転写シート基体部と、前記熱転写シート基体部の一方の面上に設けられた機能層を有し、前記機能層の面のうち前記熱転写シート基体部側に位置する面は接着性を有し、
前記中間転写媒体は、中間転写媒体基体部と、前記中間転写媒体基体部の一方の面上に設けられた転写層を有し、前記転写層は、受容層のみからなる単層構造、又は前記中間転写媒体基体部から最も遠くに位置する受容層を含む積層構造を呈し、
前記熱転写シートと前記中間転写媒体を、前記機能層と前記転写層とが接するように重ね合せ、前記熱転写シート基体部の他方の面側からエネルギーを印加したときに、
前記エネルギーが１のエネルギーの場合、前記機能層によって前記中間転写媒体基体部から前記転写層を除去でき、
前記エネルギーが他の１のエネルギーの場合、前記転写層上に前記機能層を転写できる、
熱転写シートと中間転写媒体の組合せ。
【請求項２】
熱転写シートと中間転写媒体の組合せであって、
前記熱転写シートは、熱転写シート基体部と、前記熱転写シート基体部の一方の面上に設けられた機能層を有し、前記機能層の面のうち前記熱転写シート基体部側に位置する面は接着性を有し、
前記中間転写媒体は、中間転写媒体基体部と、前記中間転写媒体基体部の一方の面上に設けられた転写層を有し、前記転写層は、受容層のみからなる単層構造、又は前記中間転写媒体基体部から最も遠くに位置する受容層を含む積層構造を呈し、
前記熱転写シートと前記中間転写媒体を、前記機能層と前記転写層とが接するように重ね合せ、前記熱転写シート基体部の他方の面側からエネルギーを印加したときの、（密着力Ａ）前記機能層と前記転写層の密着力、（密着力Ｂ）前記熱転写シート基体部と前記機能層の密着力、（密着力Ｃ）前記中間転写媒体基体部と前記転写層の密着力の関係が、
前記エネルギーが１のエネルギーの場合、（密着力Ｂ）≧（密着力Ａ）＞（密着力Ｃ）、又は（密着力Ａ）＞（密着力Ｂ）＞（密着力Ｃ）の関係を満たし、
前記エネルギーが他の１のエネルギーの場合、（密着力Ａ）≧（密着力Ｃ）＞（密着力Ｂ）、又は（密着力Ｃ）＞（密着力Ａ）＞（密着力Ｂ）の関係を満たす、
熱転写シートと中間転写媒体の組合せ。
【請求項３】
前記１のエネルギーが、前記他の１のエネルギーよりも高いエネルギーである、
請求項１又は２に記載の熱転写シートと中間転写媒体の組合せ。
【請求項４】
印画物の製造方法であって、
請求項１乃至３の何れか１項に記載の熱転写シートと中間転写媒体の組合せを用い、
前記熱転写シートの一部の領域に前記１のエネルギーを印加して、前記機能層により前記転写層の一部を除去する除去工程と、
前記熱転写シートの他の一部の領域に前記他の１のエネルギーを印加して、前記転写層上の少なくとも一部に前記機能層を転写する機能層転写工程と、
前記除去工程、及び前記機能層転写工程がなされた前記中間転写媒体の前記転写層を、被転写体上に転写する転写層転写工程と、を含む、
印画物の製造方法。
【請求項５】
前記転写層転写工程よりも前に、前記中間転写媒体の前記転写層に、熱転写画像を形成する工程を、さらに含む、
請求項４に記載の印画物の製造方法。
【発明の詳細な説明】
【技術分野】
【０００１】
本発明は、熱転写シートと中間転写媒体の組合せ、及び印画物の製造方法に関する。
【背景技術】
【０００２】
特許文献１に提案がされているように、被転写体上に制約を受けることがなく印画物を形成する手段として、基材上に、受容層を含む転写層（以下、転写層と言う場合がある）が剥離可能に設けられた中間転写媒体が用いられている。この中間転写媒体によれば、色材層を有する熱転写シートを用いて、中間転写媒体の受容層上に熱転写画像を形成し、その後、この受容層を含む転写層を、任意の被転写体上に転写することで、任意の被転写体上に熱転写画像が形成された印画物を得ることができる。ところで、被転写体上に中間転写媒体の転写層を転写することで得られる印画物の種類によっては、ＩＣチップ部、磁気ストライプ部、送受信用アンテナ部、署名部等を設ける領域を残存しておくことが必要な場合もあり、被転写体の表面には、転写層で覆われては不都合な領域が存在する場合もある。換言すれば、被転写体の表面が露出していることが必要とされる場合もある。
【０００３】
このような状況下、基材の一方の面にピールオフ層が設けられた熱転写シートを用い、被転写体上に、中間転写媒体の転写層を転写する前の段階で、転写層の所定の領域、例えば、被転写体への転写を所望しない転写層の領域を、予めピールオフ層によって除去する（ピールオフすると言う場合もある）試みがなされている。例えば、特許文献２には、熱転写シートのピールオフ層と中間転写媒体の転写層とを接するように重ねた後に、熱転写シートの基材の他方の面側にエネルギーを印加し、エネルギーが印加された領域に対応する転写層の所定の領域を、ピールオフ層によって除去する方法等が提案されている。
【０００４】
また、中間転写媒体の最表面には受容層が位置していることから、任意の被転写体上に転写層を転写するときには、当該受容層が、被転写体と直接的に接する層となる。したがって、受容層を含む転写層を、任意の被転写体上に密着性よく（転写性よく）転写するためには、受容層自体が接着性を有していることが望ましい。受容層に接着性を付与する手段としては、受容層に含有されている色材の染着性を有する成分の一部を、接着性を有する成分に置き換える手段等を例示できる。しかしながら、この手段では、接着性を有する成分の含有量が増大するにともない、色材の染着性を有する成分の含有量は減少していき、受容層への濃度の高い熱転写画像の形成が困難となるといった問題が生じ得る。
【０００５】
このような問題は、中間転写媒体の受容層上に、接着層（ヒートシール層と称される場合もある）を転写し、この接着層を介して、中間転写媒体の受容層を被転写体上に転写する方法により解決可能である。しかしながら、上記のようにピールオフ層によって所定の領域が除去された転写層を、被転写体上に転写する場合には、除去がされていない転写層部分にのみ、接着層を転写することが求められ、製造工程が煩雑となり、印画物の製造を効率的にできないといった新たな問題が生じ得る。
【先行技術文献】
【特許文献】
【０００６】
【特許文献１】特開２０１４−８００１６号公報
【特許文献２】特開２００３−３２６８６５号公報
【発明の概要】
【発明が解決しようとする課題】
【０００７】
本発明はこのような状況に鑑みてなされたものであり、印画物を効率的に製造できる熱転写シートと中間転写媒体の組合せを提供すること、また、この組合せを用いた印画物の製造方法を提供することを主たる課題とする。
【課題を解決するための手段】
【０００８】
上記課題を解決するための発明は、熱転写シートと中間転写媒体の組合せであって、前記熱転写シートは、熱転写シート基体部と、前記熱転写シート基体部の一方の面上に設けられた機能層を有し、前記機能層の面のうち前記熱転写シート基体部側に位置する面は接着性を有し、前記中間転写媒体は、中間転写媒体基体部と、前記中間転写媒体基体部の一方の面上に設けられた転写層を有し、前記転写層は、受容層のみからなる単層構造、又は前記中間転写媒体基体部から最も遠くに位置する受容層を含む積層構造を呈し、前記熱転写シートと前記中間転写媒体を、前記機能層と前記転写層とが接するように重ね合せ、前記熱転写シート基体部の他方の面側からエネルギーを印加したときに、前記エネルギーが１のエネルギーの場合、前記機能層によって前記中間転写媒体基体部から前記転写層を除去でき、前記エネルギーが他の１のエネルギーの場合、前記転写層上に前記機能層を転写できる。
【０００９】
また、上記課題を解決するための本発明は、熱転写シートと中間転写媒体の組合せであって、前記熱転写シートは、熱転写シート基体部と、前記熱転写シート基体部の一方の面上に設けられた機能層を有し、前記機能層の面のうち前記熱転写シート基体部側に位置する面は接着性を有し、前記中間転写媒体は、中間転写媒体基体部と、前記中間転写媒体基体部の一方の面上に設けられた転写層を有し、前記転写層は、受容層のみからなる単層構造、又は前記中間転写媒体基体部から最も遠くに位置する受容層を含む積層構造を呈し、前記熱転写シートと前記中間転写媒体を、前記機能層と前記転写層とが接するように重ね合せ、前記熱転写シート基体部の他方の面側からエネルギーを印加したときの、（密着力Ａ）前記機能層と前記転写層の密着力、（密着力Ｂ）前記熱転写シート基体部と前記機能層の密着力、（密着力Ｃ）前記中間転写媒体基体部と前記転写層の密着力の関係が、前記エネルギーが１のエネルギーの場合、（密着力Ｂ）≧（密着力Ａ）＞（密着力Ｃ）、又は（密着力Ａ）＞（密着力Ｂ）＞（密着力Ｃ）、の関係を満たし、前記エネルギーが他の１のエネルギーの場合、（密着力Ａ）≧（密着力Ｃ）＞（密着力Ｂ）、又は（密着力Ｃ）＞（密着力Ａ）＞（密着力Ｂ）の関係を満たす。
【００１０】
上記の組合せにおいて、前記１のエネルギーが、前記他の１のエネルギーよりも高いエネルギーであってもよい。
【００１１】
また、上記課題を解決するための本発明は、印画物の製造方法であって、上記の熱転写シートと中間転写媒体の組合せを用い、前記熱転写シートの一部の領域に前記１のエネルギーを印加して、前記機能層により前記転写層の一部を除去する除去工程と、前記熱転写シートの他の一部の領域に前記他の１のエネルギーを印加して、前記転写層上の少なくとも一部に前記機能層を転写する機能層転写工程と、前記除去工程、及び前記機能層転写工程がなされた前記中間転写媒体の前記転写層を、被転写体上に転写する転写層転写工程と、を含む。
【００１２】
また、上記の印画物の製造方法において、前記転写層転写工程よりも前に、前記中間転写媒体の前記転写層に、熱転写画像を形成する工程を、さらに含んでいてもよい。
【発明の効果】
【００１３】
本発明の熱転写シートと中間転写媒体の組合せや、印画物の製造方法によれば、印画物を効率的に且つ、精度よく製造できる。
【図面の簡単な説明】
【００１４】
【図１】（ａ）〜（ｃ）は、本開示の実施の形態に係る熱転写シートと中間転写媒体の組合せを構成する熱転写シートの一例を示す概略断面図である。
【図２】（ａ）〜（ｃ）は、本開示の実施の形態に係る熱転写シートと中間転写媒体の組合せを構成する中間転写媒体の一例を示す概略断面図である。
【図３】（ａ）、（ｂ）は、本開示の実施の形態に係る熱転写シートと中間転写媒体の組合せを用い、熱転写シートに所定のエネルギーを印加したときの状態の一例を示す概略断面図である。
【図４】本開示の実施の形態に係る熱転写シートと中間転写媒体の組合せを用い、熱転写シートに所定のエネルギーを印加したときの状態の一例を示す概略断面図である。
【図５】（ａ）、（ｂ）は、本開示の実施の形態に係る印画物の製造方法の一例を示す工程図である。
【図６】エネルギー印加領域を示す熱転写シート背面側の平面図である。
【発明を実施するための形態】
【００１５】
＜＜熱転写シートと中間転写媒体の組合せ＞＞
以下、本開示の実施の形態に係る熱転写シートと中間転写媒体の組合せ（以下、本開示の組合せと言う）について説明する。図１（ａ）〜（ｃ）は、本開示の組合せを構成する熱転写シートの一例を示す概略断面図であり、図２（ａ）〜（ｃ）は、本開示の組合せを構成する中間転写媒体の一例を示す概略断面図であり、図３（ａ）、（ｂ）、図４は、本開示の組合せを用い、熱転写シートに所定のエネルギーを印加したときの状態の一例を示す概略断面図である。
【００１６】
本開示の組合せは、熱転写シート１００の機能層１１０と中間転写媒体２００の転写層２１０とが接するように重ねあわせ、熱転写シート基体部１０５の他方の面側にエネルギーを印加したときに、（ｉ）印加するエネルギーが１のエネルギーである場合、当該１のエネルギーが印加された領域に対応する中間転写媒体２００の転写層２１０を機能層１１０によって除去でき、また（ｉｉ）印加するエネルギーが他の１のエネルギーである場合、機能層１１０を、中間転写媒体２００の転写層２１０上に転写できる、との関係を満たす。また、熱転写シート１００の機能層１１０の熱転写シート基体部１０５側の面は、接着性を有することから、中間転写媒体２００の転写層２１０上に、機能層１１０を転写することで、中間転写媒体２００の転写層２１０に接着性を付与できる。
【００１７】
本開示の組合せによれば、熱転写シート１００の機能層１１０に、複数の機能を付与でき、中間転写媒体２００の転写層２１０を被転写体に転写することで得られる印画物を効率的に製造できる。つまり、１つの機能層１１０に、印加されるエネルギーによって異なる機能を付与できる。要約すれば、１つの機能層１１０に、中間転写媒体２００の転写層２１０の一部を除去するピールオフ機能と、被転写体上に転写される転写層２１０に接着性を発現できるヒートシール機能を付与できる。
【００１８】
図３（ａ）、（ｂ）、図４は、本開示の実施の形態に係る熱転写シートと中間転写媒体の組合せを用い、熱転写シートに所定のエネルギーを印加したときの状態の一例を示す概略断面図である。図３（ａ）では、本開示の組合せを用い、熱転写シート基体部１０５の他方の面側から１のエネルギーを印加したときの状態を示している。図３（ａ）に示す形態では、１のエネルギーが印加された領域に対応する中間転写媒体２００の転写層２１０を、機能層１１０によって除去できる。図３（ｂ）では、本開示の組合せを用い、熱転写シート基体部１０５の他方の面側から他の１のエネルギーを印加したときの状態を示している。図３（ｂ）に示す形態では、他の１のエネルギーが印加された領域に対応する熱転写シート１００の機能層１１０を、中間転写媒体２００の転写層２１０上に転写できる。
【００１９】
図４では、本開示の組合せを用い、熱転写シート基体部１０５の他方の面側から、中間転写媒体２００の転写層２１０の除去を所望する領域に１のエネルギーを印加し、それ以外の領域に他の１のエネルギーを印加したときの状態を示している。図４に示す形態では、１のエネルギーが印加された領域に対応する中間転写媒体２００の転写層２１０を機能層１１０によって除去できる。さらに、この形態では、中間転写媒体２００の転写層２１０が残存する領域部分にのみ、機能層１１０を転写できる。
【００２０】
なお、中間転写媒体の転写層の除去、及び中間転写媒体の転写層上への接着性の付与は、中間転写媒体の転写層を除去するためのピールオフ層を有する熱転写シート、及び中間転写媒体の転写層に接着性を付与するための接着層を有する熱転写シートを組合せて用いる、或いは、ピールオフ層と、接着層が面順次に設けられた熱転写シートを用いても実現可能である。しかしながら、このような熱転写シートにおいては、複数の熱転写シートが必要となる、或いは、中間転写媒体の転写層の除去と、中間転写媒体の転写層への接着性の付与をそれぞれ、別工程で行う必要があり、工程が煩雑となる。また、転写層の一部が除去された中間転写媒体の、残存する転写層への接着性の付与は、残存する転写層部分にのみ正確に行う必要がある。しかしながら、中間転写媒体の転写層の除去と、中間転写媒体の転写層への接着性の付与を別工程で行った場合、位置合わせの精度によっては、接着層の転写を所望しない部分、例えば、除去された転写層部分側にはみ出すように、接着層が転写されやすくなる。他方で、本開示の組合せによれば、エネルギーを可変させることで、中間転写媒体の転写層の除去、及び残存する転写層上への接着性の付与を一括して行うことができ、また、残存する転写層上へのみ接着性を付与できる。
【００２１】
なお、本開示の組合せの使用用途について限定はなく、熱転写シート１００の機能層１１０は、中間転写媒体２００の転写層２１０の一部を除去するためにのみ用いてもよく、中間転写媒体２００の転写層２１０に接着性を付与するためにのみ用いてもよい。
【００２２】
上記の関係を実現できる具体的な手段について限定はなく、上記１のエネルギーや、上記他の１のエネルギーを印加したときの、熱転写シート基体部１０５と機能層１１０の密着力、中間転写媒体基体部２０５と転写層２１０の密着力、機能層１１０と転写層２１０の密着力を考慮して調整すればよい。
【００２３】
具体的には、熱転写シート１００と中間転写媒体２００を、機能層１１０と転写層２１０とが接するように重ね合せ、熱転写シート基体部１０５の他方の面側からエネルギーを印加したときの、機能層１１０と転写層２１０の密着力を「密着力Ａ」、熱転写シート基体部１０５と機能層１１０の密着力を「密着力Ｂ」、中間転写媒体基体部２０５と転写層２１０の密着力を「密着力Ｃ」としたときに、これら、密着力の関係が、印加するエネルギーを１のエネルギーとした場合、密着力Ｂ≧密着力Ａ＞密着力Ｃ、又は密着力Ａ＞密着力Ｂ＞密着力Ｃの関係を満たし、印加するエネルギーを他の１のエネルギーとした場合、密着力Ａ≧密着力Ｃ＞密着力Ｂ、又は密着力Ｃ＞密着力Ａ＞密着力Ｂの関係となるようにすればよい。
【００２４】
印加するエネルギーを１のエネルギーとしたときの密着力の関係を上記の関係となるように構成することで、その密着力が最も小さい、中間転写媒体基体部２０５と転写層２１０との界面での剥離が最初に開始され、１のエネルギーが印加された領域に対応する転写層２１０を、機能層１１０によって除去できる。つまり、この場合、機能層１１０は、ピールオフ層としての役割を果たす。
【００２５】
他方、印加するエネルギーを他の１のエネルギーとしたときの密着力の関係を上記の関係となるように構成することで、その密着力が最も小さい、熱転写シート基体部１０５と機能層１１０との界面での剥離が最初に開始され、他の１のエネルギーが印加された領域に対応する機能層１１０を、中間転写媒体２００の転写層２１０上に転写できる。上記の通り、熱転写シート１００の機能層１１０の熱転写シート基体部１０５側の面は、接着性を有することから、転写層２１０上に転写される機能層１１０は、中間転写媒体２００の転写層２１０に接着性を付与するための、接着層（ヒートシール層と称される場合もある）としての役割を果たす。
【００２６】
上記１のエネルギー、及び他の１のエネルギーについて限定はなく、１のエネルギーと他の１のエネルギーが、異なるエネルギーであり、異なるエネルギーを印加したときに、密着力の関係が、それぞれ上記関係を満たせばよい。なお、上記関係を満たす構成の実現性の観点では、１のエネルギーは、他の１のエネルギーよりも高いことが好ましく、１のエネルギーは、他の１のエネルギーの１．２倍以上がより好ましい。
【００２７】
１のエネルギー、及び他の１のエネルギーを印加したときの、密着力の関係を上記の関係とする手段としては、例えば、以下を例示できる。なお、本開示の組合せは、以下の構成に限定されるものではなく、結果として、（ｉ）印加するエネルギーを１のエネルギーとしたときに、当該１のエネルギーが印加された領域に対応する中間転写媒体２００の転写層２１０の所定の領域を機能層１１０によって除去でき、また（ｉｉ）印加するエネルギーを他の１のエネルギーとしたときに、中間転写媒体２００の転写層２１０側に機能層１１０が転写できる、との関係を満たせばよい。
【００２８】
一例としての方法は、熱転写シート基体部１０５と機能層１１０の密着力Ｂ、中間転写媒体基体部２０５と転写層２１０の密着力Ｃの関係を、エネルギーを印加する前の初期状態において、密着力Ｃ＞密着力Ｂとなるように構成する。この初期状態において、１のエネルギーを印加したときに、熱転写シート基体部１０５と機能層１１０の密着力Ｂが、密着力Ｃよりも高くなるように、熱転写シート基体部１０５、及び機能層１１０の材料を選定し、且つ、密着力Ｃよりも、機能層１１０と転写層２１０の密着力Ａが高くなるように、機能層１１０、及び転写層２１０の材料を選定することで、１のエネルギーを印加したときに、中間転写媒体２００の転写層２１０の所定の領域を機能層１１０によって除去できる。また、この関係を満たしつつ、他の１のエネルギーを印加したときには、密着力Ｃ＞密着力Ｂの関係を維持しつつ、密着力Ｂよりも、機能層１１０と転写層２１０の密着力Ａが高くなるような機能層１１０、及び転写層２１０の材料を選定することで、他の１のエネルギーを印加したときに、中間転写媒体２００の転写層２１０側に機能層１１０が転写できる。
【００２９】
＜熱転写シート＞
図１（ａ）〜（ｃ）に示すように、本開示の組合せを構成する熱転写シート１００は、熱転写シート基体部１０５と、熱転写シート基体部１０５の一方の面上に位置する機能層１１０を有する。
【００３０】
（機能層）
機能層１１０は、本開示の組合せを用いて、熱転写シート１００の機能層１１０と中間転写媒体２００の転写層２１０とが接するように重ねあわせ、熱転写シート基体部１０５の他方の面側にエネルギーを印加したときに、（ｉ）印加するエネルギーが１のエネルギーである場合、当該１のエネルギーが印加された領域に対応する中間転写媒体２００の転写層２１０の所定の領域を除去できる機能（図３（ａ）参照）、及び（ｉｉ）印加するエネルギーが他の１のエネルギーである場合、中間転写媒体２００側に転写され、中間転写媒体２００の転写層２１０の接着性を付与する機能（図３（ｂ）参照）を有する。
【００３１】
図１（ａ）に示すように、機能層１１０は、１つの層からなる単層構造を呈していてもよく、図１（ｂ）、（ｃ）に示すように、２つ以上の層が積層されてなる積層構造を呈していてもよい。なお、機能層１１０を積層構造とする場合、１のエネルギーを印加したときの機能層１１０を構成する各層間の密着力は、上記密着力Ｃよりも高く、他の１のエネルギーを印加したときの機能層１１０を構成する各層間の密着力は、上記密着力Ｂよりも高いことを条件とする。このことは、後述する熱転写シート基体部１０５、中間転写媒体基体部２０５、転写層２１０を積層構造とする場合についても同様である。
【００３２】
機能層１１０を単層構造とする場合には、当該単層構造の機能層１１０は、ピールオフ性を有する材料と、接着性を有する材料を含有している、或いは、ピールオフ性、及び接着性の双方を有する材料を含有している。
【００３３】
ピールオフ性を有する材料としては、塩化ビニル、塩化ビニル−酢酸ビニル共重合体、アクリル樹脂、ポリエステル、ポリアミド、スチレン−アクリル共重合体、スチレン−塩化ビニル−酢酸ビニル共重合体、ブチラール、エポキシ樹脂、ポリアミド等を例示できる。また、接着性を有する材料としては、ポリウレタン等のポリオレフィン、ポリエステル、アクリル樹脂、エポキシ樹脂、ウレア樹脂、メラミン樹脂、フェノール樹脂、酢酸ビニル、塩化ビニル−酢酸ビニル共重合体、シアノアクリレート等を例示できる。ピールオフ性、及び接着性を有する材料としては、塩化ビニル−酢酸ビニル共重合体、アクリル樹脂、ポリエステル、エポキシ樹脂等を例示できる。
【００３４】
単層構造の機能層１１０の厚みは、０．２μｍ以上５μｍ以下が好ましい。
【００３５】
また、機能層１１０を積層構造とし、ピールオフ性の機能と、接着性を有する機能を分離してもよい。例えば、図１（ｂ）、（ｃ）に示すように、機能層１１０を、熱転写シート基体部１０５の一方の面側から、接着層１１０Ａ、ピールオフ層１１０Ｂをこの順で積層してなる積層構造としてもよい。接着層１１０Ａ、ピールオフ層１１０Ｂの材料としては、上記ピールオフ性を有する材料や、接着性を有する材料を適宜選択すればよい。
【００３６】
好ましい形態の機能層１１０は、熱転写シート基体部１０５の一方の面側から、接着層１１０Ａ、ピールオフ層１１０Ｂをこの順で積層してなる積層構造を呈している。この形態の機能層によれば、熱転写シート基体部１０５の表面に位置する部材の材料を適宜選択することで、一定のエネルギーの印加により、熱転写シート基体部１０５と機能層１１０とを容易に熱融着でき、これにより、熱転写シート基体部１０５と、機能層１１０との密着性を、当初の状態より高くできる。例えば、エネルギーを印加する前の状態の、密着力Ｂ（熱転写シート基体部１０５と機能層１１０の密着力）、密着力Ｃ（中間転写媒体基体部２０５と転写層２１０の密着力）の関係が、密着力Ｃ＞密着力Ｂである場合に、一定のエネルギーの印加により、この関係を逆転できる。ここで言う、一定のエネルギーは、１のエネルギーに相当する。また、一定のエネルギーを印加したときの熱転写シート基体部１０５と機能層１１０との融着の容易性を考慮すると、熱転写シート基体部１０５と、当該熱転写シート基体部１０５と接する接着層１１０Ａは、主成分として同種の樹脂材料を含有していることが好ましい。熱転写シート基体部１０５と接着層１１０Ａに同種の樹脂成分を含有せしめることで、所定のエネルギー（１のエネルギー）の印加により、上記好ましい機能層１１０（接着層１１０Ａ）と融着でき、他方で、他の所定のエネルギー（他の１のエネルギー）をこれよりも弱いエネルギーとすることで、熱転写シート基体部１０５と機能層１１０（接着層１１０Ａ）の密着力を、エネルギー印加前の状態とほぼ同じ密着力で維持できる。同様に、機能層１１０を単層構造とする場合には、熱転写シート基体部１０５と、機能層１１０は、同種の樹脂材料を含有していることが好ましい。ここで言う同種の樹脂材料とは、基本構造を共通にするという意味であり、完全同一の樹脂に限られない。例えば、アクリル樹脂という場合には、アクリル酸、又はメタクリル酸のモノマーや、アクリル酸エステル、又はメタクリル酸エステルのモノマーを主成分として含むものがあるが、これらは、全て、同種の樹脂として定義できる。また、ポリエステルと言う場合には、ポリエチレンテレフタレート、ポリエチレンナフタレート等を例示できるが、これらも同種の樹脂として定義できる。また、基本構造を共通にするとは、主体とするモノマーを共通にするものも含まれる。例えば、主体とするモノマーをモノマーＡとした場合に、モノマーＡの単独重合体、モノマーＡとモノマーＢの共重合体、モノマーＡとモノマーＣの共重合体も同種の樹脂として定義できる。
【００３７】
また、接着層１１０Ａと、ピールオフ層１１０Ｂとの間に、他の層を位置させてもよい。例えば、接着層１１０Ａとピールオフ層１１０Ｂとの密着性を高めるためのプライマー層（図示しない）等を位置させてもよい。
【００３８】
接着層１１０Ａの厚みは、０．１μｍ以上３μｍ以下が好ましく、ピールオフ層１１０Ｂの厚みは、０．１μｍ以上３μｍ以下が好ましい。
【００３９】
（熱転写シート基体部）
図１に示すように、本開示の組合せを構成する熱転写シート１００は、機能層１１０を保持する熱転写シート基体部１０５を有する。
【００４０】
本願明細書でいう熱転写シート基体部１０５は、他の１のエネルギーを印加したときに中間転写媒体２００の転写層２１０上へ転写される機能層１１０以外の構成部材であり、図１（ａ）、（ｂ）に示すように、基材１０５Ａのみからなる単層構造を呈していてもよく、図１（ｃ）に示すように、機能層１１０との密着性を調整するための層（例えば、離型層１０５Ｂ）を、基材１０５Ａ上に位置させた積層構造としてもよい。
【００４１】
（基材）
基材１０５Ａとしては、グラシン紙、コンデンサー紙またはパラフィン紙等の薄紙、ポリエチレンテレフタレート、ポリエチレンナフタレート、ポリブチレンテレフタレート、ポリフェニレンサルファイド、ポリエーテルケトンもしくはポリエーテルサルホン等の耐熱性の高いポリエステル、ポリプロピレン、ポリカーボネート、酢酸セルロース、ポリエチレン誘導体、ポリ塩化ビニル、ポリ塩化ビニリデン、ポリスチレン、ポリアミド、ポリイミド、ポリメチルペンテンまたはアイオノマー等のプラスチックの延伸または未延伸フィルムを例示できる。また、これらの材料を２種以上積層した複合フィルムも使用できる。基材１０５Ａの厚みは、２μｍ以上１０μｍ以下が好ましい。
【００４２】
（離型層）
離型層１０５Ｂの材料は、離型層１０５Ｂと機能層１１０の密着力と、中間転写媒体基体部２０５と転写層２１０の密着力を考慮して適宜選択できる。例えば、エネルギーを印加する前の状態における、中間転写媒体基体部２０５と転写層２１０の密着力Ｃよりも、離型層１０５Ｂと機能層１１０の密着力Ｂが低く、且つ、１のエネルギーを印加したときに、密着力Ｃよりも、離型層１０５Ｂと機能層１１０の密着力Ｂを高くできる材料を適宜選択すればよい。離型層１０５Ｂの材料としては、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等を例示できる。
【００４３】
離型層の厚みは０．５μｍ以上５μｍ以下が一般的である。また、基材１０５Ａ上に離型層１０５Ｂを設ける場合、基材１０５Ａと離型層１０５Ｂとの密着性の向上を図るべく、基材１０５Ａの離型層側の面に接着処理を施してもよい。接着処理としては、例えば、コロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用できる。また、それらの処理を２種以上併用することもできる。
【００４４】
（背面層）
また基材１０５Ａの離型層１０５Ｂが位置する面とは反対側の面に位置する背面層（図示しない）を有していてもよい。
【００４５】
（染料層）
また、熱転写シート１００は、機能層１１０と面順次に設けられた、染料層（図示しない）を有していてもよい。染料層を有する熱転写シート１００とすることで、本開示の組合せにより、中間転写媒体の転写層の表面に位置する層（受容層）に、染料層を用いた熱転写画像を形成できる。
【００４６】
染料層は、昇華性染料、バインダー樹脂およびその他の任意成分を含有している。昇華性染料、バインダー樹脂等は、従来公知のものを使用することができ、特に限定されない。染料層の厚みは、通常０．２μｍ以上３μｍ以下の範囲である。
【００４７】
＜中間転写媒体＞
図２（ａ）〜（ｃ）に示すように、本開示の組合せを構成する中間転写媒体２００は、中間転写媒体基体部２０５と、中間転写媒体基体部２０５の一方の面上に位置する転写層２１０を有する。
【００４８】
（転写層）
転写層２１０は、中間転写媒体基体部２０５から剥離可能に設けられており、エネルギーの印加等により、中間転写媒体基体部２０５から剥離され、被転写体上に転写される層である。転写層２１０は、図２（ａ）に示すように受容層２１０Ａのみからなる単層構造を呈していてもよく、図２（ｂ）、（ｃ）に示すように中間転写媒体基体部２０５から最も遠くに位置する受容層２１０Ａを含む積層構造を呈していてもよい。
【００４９】
（受容層）
受容層２１０Ａの材料について限定はなく、機能層１１０と受容層２１０Ａの密着力の関係が、上記で説明した関係となるような材料を適宜選択すればよい。受容層２１０Ａの材料としては、ポリプロピレン等のポリオレフィン、ポリ塩化ビニル、或いはポリ塩化ビニリデン等のハロゲン化樹脂、ポリ酢酸ビニル、塩化ビニル−酢酸ビニル共重合体、エチレン−酢酸ビニル共重合体もしくはポリアクリル酸エステル等のビニル樹脂、ポリエチレンテレフタレートもしくはポリブチレンテレフタレート等のポリエステル、ポリスチレン、ポリアミド、エチレン、或いはプロピレン等のオレフィンと他のビニルポリマーとの共重合体、アイオノマー、或いはセルロースジアスターゼ等のセルロース樹脂、ポリカーボネート等を含有している。
【００５０】
（剥離層）
図２（ｂ）、（ｃ）に示すように、中間転写媒体基体部２０５と、転写層２１０との密着性を調整するべく、転写層２１０を、中間転写媒体基体部２０５側から、剥離層２１０Ｂ、受容層２１０Ａがこの順で積層されてなる積層構造としてもよい。
【００５１】
剥離層２１０Ｂの材料としては、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等を例示できる。
【００５２】
剥離層２１０Ｂの厚みは、０．５μｍ以上５μｍ以下が好ましい。  
【００５３】
（中間転写媒体基体部）
図２に示すように、本開示の組合せを構成する中間転写媒体２００は、転写層２１０を保持する中間転写媒体基体部２０５を有する。
【００５４】
中間転写媒体基体部２０５は、１のエネルギーを印加したときに中間転写媒体２００から除去される転写層２１０以外の構成部材であり、図２（ａ）、（ｂ）に示すように、基材２０５Ａのみからなる単層構造を呈していてもよく、図２（ｃ）に示すように、転写層２１０との密着性を調整するための層（例えば、離型層２０５Ｂ）を、基材２０５Ａ上に位置させた積層構造としてもよい。
【００５５】
中間転写媒体基体部２０５は、転写層２１０との密着性等を考慮して決定すればよい。中間転写媒体基体部２０５の構成は、上記熱転写シート基体部１０５で説明した構成を適宜選択して用いることができる。
【００５６】
＜＜印画物の製造方法＞＞
次に、本開示の実施の形態に係る印画物の製造方法（以下、本開示の印画物の製造方法）について説明する。本開示の印画物の製造方法は、熱転写シートと中間転写媒体を用いた印画物の製造方法であって、熱転写シートと中間転写媒体として、上記本開示の組合せを用いる。そして、本開示の印画物の製造方法は、図５（ａ）に示すように、熱転写シート１００の一部の領域に上記１のエネルギーを印加して、機能層１１０により転写層２１０の一部を除去する除去工程と、図５（ａ）に示すように、熱転写シート１００の他の一部の領域に上記他の１のエネルギーを印加して、転写層２１０上の少なくとも一部に機能層１１０を転写する機能層転写工程と、図５（ｂ）に示すように、除去工程、及び機能層転写工程がなされた中間転写媒体の転写層２１０を、被転写体３００上に転写する転写層転写工程と、を含む。本工程を経ることで、印画物４００が製造される。
【００５７】
本開示の印画物の製造方法によれば、印加するエネルギーを異ならせるだけで、１つの機能層１１０により、転写層２１０の除去、及び転写層２１０への接着性の付与を実現できる。したがって、本開示の印画物の製造方法によれば、印画物を効率的に製造できる。
【００５８】
＜除去工程、及び機能層転写工程＞
除去工程、及び機能層転写工程は、別工程として行ってもよく、一体として行ってもよい。別工程として行う場合、除去工程、機能層転写工程の前後は問わない。なお、所定の領域毎に、印加するエネルギーを、１のエネルギー、他の１のエネルギーと可変させ、機能層による転写層の除去、及び転写層上への機能層の転写を一括して行う方法によれば、より効率的に印画物を製造でき、好適である。
【００５９】
１のエネルギー、及び他の１のエネルギーの印加は、例えば、サーマルヘッド等を用いて行うことができる。
【００６０】
＜転写層転写工程＞
被転写体上への転写層の転写は、例えば、ヒートロール、ホットスタンプ、サーマルヘッド等を用いて行うことができる。
【００６１】
＜熱転写画像形成工程＞
また、転写層転写工程よりも前に、中間転写媒体２００の転写層２１０に、熱転写画像を形成する工程を、さらに含んでいてもよい。熱転写画像の形成は、上記の除去工程や、機能層転写工程よりも前、或いは、この間に行ってもよく、上記の除去工程や、機能層転写工程よりも後に行ってもよい。また、予め、熱転写画像が形成されている中間転写媒体を用いてもよい。
【実施例】
【００６２】
次に実施例を挙げて、本発明を更に具体的に説明する。以下、特に断りのない限り、部は質量基準である。
【００６３】
（熱転写シート１の作成）
熱転写シート基体部として、厚さ４．５μｍのポリエチレンテレフタレートフィルムを用い、当該基材の一方の面である易接着処理面上に、下記組成の機能層用塗工液を厚みが１μｍとなるように塗布・乾燥して機能層を形成し、基材の他方の面上に、下記組成の背面層用塗工液を厚みが０．８μｍとなるように塗布・乾燥して背面層を形成し熱転写シート１を得た。
【００６４】
＜機能層用塗工液１＞
・ポリエステル（粘度平均分子量（Ｍｖ）：２００００、Ｔｇ：４５℃）      ２０部
（エリーテル（登録商標）ＵＥ−３２１０  ユニチカ（株））
・メチルエチルケトン                                                    ４０部
・トルエン                                                              ４０部
【００６５】
＜背面層用塗工液＞
・ポリビニルブチラール                                                ２．０部
（エスレック（登録商標）ＢＸ−１  積水化学工業（株））
・ポリイソシアネート                                                  ９．２部
（バーノック（登録商標）Ｄ７５０  ＤＩＣ（株））
・リン酸エステル系界面活性剤                                          １．３部
（プライサーフ（登録商標）Ａ２０８Ｎ  第一工業製薬（株））
・タルク                                                              ０．３部
（ミクロエース（登録商標）Ｐ−３  日本タルク工業（株））
・トルエン                                                          ４３．６部
・メチルエチルケトン                                                ４３．６部
【００６６】
（熱転写シート２の作成）
機能層用塗工液１を、下記組成の機能層用塗工液２に変更して機能層を形成した以外は、全て熱転写シート１と同様にして、熱転写シート２を作成した。
【００６７】
＜機能層用塗工液２＞
・塩化ビニル−酢酸ビニル共重合体                                        １５部
（ソルバイン（登録商標）ＣＮＬ  日信化学工業（株））
・アクリル樹脂                                                            ５部
（ダイヤナール（登録商標）ＢＲ−１１３  三菱ケミカル（株））
・メチルエチルケトン                                                    ４０部
・トルエン                                                              ４０部
【００６８】
（中間転写媒体１の作成）
基板として厚さ１２μｍのポリエチレンテレフタレートフィルム（ルミラー  東レ（株））を用い、該基板上に、下記組成の剥離層用塗工液を厚みが０．７μｍとなるように塗布・乾燥して剥離層を形成した。次いで、剥離層上に下記組成の保護層用塗工液を厚みが１．５μｍとなるように塗布・乾燥して保護層を形成した。次いで、保護層上に下記組成の受容層用塗工液を厚みが０．７μｍとなるように塗布・乾燥して受容層を形成し中間転写媒体１を作成した。剥離層、保護層、受容層は、転写層を構成する。
【００６９】
＜剥離層用塗工液＞
・アクリル樹脂                                                          ２０部
（ダイヤナール（登録商標）ＢＲ−８３  三菱ケミカル（株））
・ポリエステル                                                            １部
（バイロン（登録商標）６００  東洋紡（株））
・メチルエチルケトン                                                    ７９部
【００７０】
＜保護層用塗工液＞
・ポリエステル                                                          ２０部
（バイロン（登録商標）ＧＫ−２５０  東洋紡（株））
・メチルエチルケトン                                                    ８０部
【００７１】
＜受容層用塗工液＞
・塩化ビニル−酢酸ビニル共重合体                                        ２０部
（ソルバイン（登録商標）ＣＮＬ  日信化学工業（株））
・シリコーンオイル                                                        １部
（Ｘ−２２−３０００Ｔ  信越化学工業（株））
・メチルエチルケトン                                                    ７９部
【００７２】
（エネルギーの印加）
上記で作成した熱転写シート１と中間転写媒体１の組合せを「組合せ１」とし、上記で作成した熱転写シート２と中間転写媒体１の組合せを「組合せ２」とした。この組合せの中間転写媒体の受容層と熱転写シートの機能層とが接するように重ねあわせ、下記プリンタを用い、熱転写シートの背面側から図６に示すＡ領域、及びＢ領域にそれぞれ、表１に示すエネルギーを印加した。なお、組合せ１は、本開示の組合せの要件を充足する実施例の組合せであり、組合せ２は、本開示の組合せの要件を充足しない比較例の組合せである。
【００７３】
（プリンタ）
サーマルヘッド：ＫＥＥ−５７−１２ＧＡＮ２−ＳＴＡ（京セラ（株）製）
発熱体平均抵抗値：３３０３（Ω）
主走査方向印字密度：３００（ｄｐｉ）
副走査方向印字密度：３００（ｄｐｉ）
１ライン周期：２．０（ｍｓｅｃ．）
印字開始温度：３５（℃）
印加電圧：２２（Ｖ）
【００７４】
（ピールオフ性評価）
表１の組合せにおける、中間転写媒体の転写層のＡ領域のピールオフ性を下記評価基準に基づいて評価した。評価結果を表１に示す。
【００７５】
「評価基準」
Ａ：Ａ領域の転写層の全てを除去できる。
ＮＧ（１）：Ａ領域の転写層を部分的にしか除去できない。
ＮＧ（２）：Ａ領域の転写層を全く除去できない。
【００７６】
（転写層の転写）
Ａ領域に表１に示すエネルギーを印加した後の中間転写媒体を用い、ヒートロールを用いて、被写体であるポリカーボネート製カード上に中間転写媒体の転写層を転写し、このときの転写性を下記評価基準に基づいて評価した。なお、Ｂ領域の転写層の転写性が良好であるということは、中間転写媒体の転写層上に、熱転写シートのＢ領域の機能層の全てが転写できていることを意味する。
【００７７】
「評価基準」
Ａ：被転写体上にＢ領域の転写層の全てを転写できる。
ＮＧ（１）：被転写体上にＢ領域の転写層を部分的にしか転写できない。
ＮＧ（２）：被転写体上にＢ領域の転写層を全く転写できない。
【００７８】
【表１】
2020116921.tif 000003
【００７９】
表１の結果からも明らかなように、本開示の組合せの要件を充足する組合せ１では、１のエネルギー、及び他の１のエネルギーを、表１に示す条件２〜４、７、８、１１の印加エネルギーとすることで、中間転写媒体の転写層の除去、及び転写層上への接着性の付与を、１つの熱転写シートを用いて一括して行うことができた。他方、本開示の組合せの要件を充足しない組合せ２では、印加エネルギーを、いかなるエネルギーとしても、ピールオフ性を十分なものとできず、中間転写媒体の転写層の除去、及び転写層上への接着性の付与を、１つの熱転写シートを用いて一括して行うことができない。
【符号の説明】
【００８０】
１００・・・熱転写シート
１０５・・・熱転写シート基体部
１０５Ａ・・・基材
１０５Ｂ・・・離型層
１１０・・・機能層
１１０Ａ・・・接着層
１１０Ｂ・・・ピールオフ層
２００・・・中間転写媒体
２０５・・・中間転写媒体基体部
２０５Ａ・・・基材
２０５Ｂ・・・離型層
２１０・・・転写層
２１０Ａ・・・受容層
２１０Ｂ・・・剥離層
３００・・・被転写体
４００・・・印画物
【図１】
2020116921.tif 000004
【図２】
2020116921.tif 000005
【図３】
2020116921.tif 000006
【図４】
2020116921.tif 000007
【図５】
2020116921.tif 000008
【図６】
2020116921.tif 000009